(57)【要約】【課題】携帯型電話機によるデータ受信において、ユーザごとに個別に設定された所定の条件にもとづき移動電話通信回線による受信又は無線データ通信による受信のいずれかを選択的に行うことを可能とする。【解決手段】電子メール転送サーバ２０は、無線データ通信装置内蔵携帯型電話機１０宛に送信されてきた電子メールの送信元が、ユーザ設定情報データベース６０に登録されているかどうかを確認し、登録されている場合は、移動電話通信回線８０を介して携帯キャリア用電子メールアドレスに当該電子メールを送信し、登録されていない場合は、無線データ通信回線９０を介してインターネット用電子メールアドレスに当該電子メールを送信する。ダウンロード管理サーバ３０は、ユーザ設定情報データベース６０に登録されたダウンロード許容サイズ以下のデータについてのみ、移動電話通信回線を介して即時ダウンロードを実行する。【選択図】      図１
2004260490.tif 000002
【特許請求の範囲】
【請求項１】
ユーザごとに個別に設定された所定の条件にもとづき移動電話通信回線によるデータ受信又は無線データ通信回線によるデータ受信のいずれかを選択的に行う無線データ通信装置内蔵携帯型電話機用データ受信システムであって、
電子メールを受信する無線データ通信装置内蔵携帯型電話機と、
前記無線データ通信装置内蔵携帯型電話機宛の電子メールを受信すると、当該電子メールから送信元情報を抽出し、この送信元情報が前記無線データ通信装置内蔵携帯型電話機のユーザの識別情報に対応付けてユーザ設定情報データベースに登録されているかどうかを確認し、登録されている場合は、前記移動電話通信回線を介して前記電子メールを前記無線データ通信装置内蔵携帯型電話機へ送信するための携帯キャリア用電子メールアドレスに送信し、登録されていない場合は、前記電子メールアドレスを前記無線データ通信のためのインターネット用電子メールアドレスに送信する電子メール転送サーバと、
前記無線データ通信装置内蔵携帯型電話機と前記電子メール転送サーバを接続する前記移動電話通信回線及び前記無線データ通信回線と、を有する
ことを特徴とする無線データ通信装置内蔵携帯型電話機用データ受信システム。
【請求項２】
前記無線データ通信装置内蔵携帯型電話機が、前記インターネット用電子メールアドレスに電子メールを受信した場合、当該電子メールにおける前記インターネット用電子メールアドレスを前記携帯キャリア用電子メールアドレスに変換し、前記インターネット用電子メールアドレスを表示しない
ことを特徴とする請求項１記載の無線データ通信装置内蔵携帯型電話機用データ受信システム。
【請求項３】
ユーザごとに個別に設定された所定の条件にもとづき移動電話通信回線によるデータ受信又は無線データ通信回線によるデータ受信のいずれかを選択的に行う無線データ通信装置内蔵携帯型電話機用データ受信システムであって、
ダウンロード管理サーバに、データのダウンロード要求を送信する無線データ通信装置内蔵携帯型電話機と、
前記ダウンロード要求にもとづいて、前記無線データ通信装置内蔵携帯型電話機に対応するダウンロード許容サイズをユーザ設定情報データベースから抽出し、ダウンロード要求データサイズを前記ダウンロード許容サイズと比較して、前記ダウンロード要求データサイズが前記ダウンロード許容サイズ以下である場合は、前記移動電話通信回線を介してダウンロードを即実行し、前記ダウンロード要求データサイズが前記ダウンロード許容サイズより大きい場合は、無線データ通信エリア内でダウンロードを実行すべきことを示す情報を、前記無線データ通信装置内蔵携帯型電話機に送信する前記ダウンロード管理サーバと、
前記無線データ通信装置内蔵携帯型電話機と前記ダウンロード管理サーバを接続する前記移動電話通信回線及び前記無線データ通信回線と、を有する
ことを特徴とする無線データ通信装置内蔵携帯型電話機用データ受信システム。
【請求項４】
前記無線データ通信装置内蔵携帯型電話機用データ受信システムが、前記無線データ通信装置内蔵携帯型電話機に無線データ通信エリア情報を提供する無線データ通信エリア情報提供サーバを有し、
当該無線データ通信エリア情報提供サーバが、前記無線データ通信装置内蔵携帯型電話機から無線データ通信エリア情報通知要求を受信すると、この無線データ通信エリア情報通知要求にもとづいて、位置情報提供サーバから前記無線データ通信装置内蔵携帯型電話機の位置情報を受信し、かつ、この位置情報にもとづいて、無線ＬＡＮエリア情報データベースを検索して前記無線データ通信装置内蔵携帯型電話機の近辺の無線データ通信エリア情報を抽出し、この無線データ通信エリア情報を前記無線データ通信装置内蔵携帯型電話機へ送信する
ことを特徴とする請求項１〜３のいずれかに記載の無線データ通信装置内蔵携帯型電話機用データ受信システム。
【請求項５】
前記無線データ通信が、無線ＬＡＮによる通信であることを特徴とする請求項１〜４のいずれかに記載の無線データ通信装置内蔵携帯型電話機用データ受信システム。
【請求項６】
ユーザごとに個別に設定された所定の条件にもとづき移動電話通信回線によるデータ受信又は無線データ通信回線によるデータ受信のいずれかを選択的に行う無線データ通信装置内蔵携帯型電話機用データ受信方法であって、
電子メール転送サーバが、
前記無線データ通信装置内蔵携帯型電話機宛の電子メールを受信すると、当該電子メールから送信元情報を抽出し、
この送信元情報が前記無線データ通信装置内蔵携帯型電話機のユーザの識別情報に対応付けてユーザ設定情報データベースに登録されているかどうかを確認し、
登録されている場合は、前記移動電話通信回線を介して前記電子メールを前記無線データ通信装置内蔵携帯型電話機へ送信するための携帯キャリア用電子メールアドレスに送信し、
登録されていない場合は、前記電子メールアドレスを前記無線データ通信のためのインターネット用電子メールアドレスに送信する
ことを特徴とする無線データ通信装置内蔵携帯型電話機用データ受信方法。
【請求項７】
ユーザごとに個別に設定された所定の条件にもとづき移動電話通信回線によるデータ受信又は無線データ通信回線によるデータ受信のいずれかを選択的に行う無線データ通信装置内蔵携帯型電話機用データ受信方法であって、
無線データ通信装置内蔵携帯型電話機が、ダウンロード管理サーバにデータのダウンロード要求を送信し、
前記ダウンロード管理サーバが、
前記ダウンロード要求にもとづいて、前記無線データ通信装置内蔵携帯型電話機に対応するダウンロード許容サイズをユーザ設定情報データベースから抽出し、
ダウンロード要求データサイズを前記ダウンロード許容サイズと比較し、
前記ダウンロード要求データサイズが前記ダウンロード許容サイズ以下である場合は、前記移動電話通信回線を介してダウンロードを即実行し、
前記ダウンロード要求データサイズが前記ダウンロード許容サイズより大きい場合は、無線データ通信エリア内でダウンロードを実行すべきことを示す情報を、前記無線データ通信装置内蔵携帯型電話機に送信する
ことを特徴とする無線データ通信装置内蔵携帯型電話機用データ受信方法。
【請求項８】
無線データ通信エリア情報提供サーバが、
前記無線データ通信装置内蔵携帯型電話機から無線データ通信エリア情報通知要求を受信すると、この無線データ通信エリア情報通知要求にもとづいて、位置情報提供サーバから前記無線データ通信装置内蔵携帯型電話機の位置情報を受信し、
当該位置情報にもとづいて、無線ＬＡＮエリア情報データベースを検索して前記無線データ通信装置内蔵携帯型電話機の近辺の無線データ通信エリア情報を抽出し、
この無線データ通信エリア情報を前記無線データ通信装置内蔵携帯型電話機へ送信する
ことを特徴とする請求項６又は７記載の無線データ通信装置内蔵携帯型電話機用データ受信方法。
【請求項９】
ユーザごとに個別に設定された所定の条件にもとづき移動電話通信回線によるデータ受信又は無線データ通信回線によるデータ受信のいずれかを選択的に行う無線データ通信装置内蔵携帯型電話機用データ受信プログラムであって、
電子メール転送サーバに、
無線データ通信装置内蔵携帯型電話機宛の電子メールを受信した場合に、当該電子メールから送信元情報を抽出させ、
この送信元情報が前記無線データ通信装置内蔵携帯型電話機のユーザの識別情報に対応付けてユーザ設定情報データベースに登録されているかどうかを確認させ、
登録されている場合は、前記移動電話通信回線を介して前記電子メールを前記無線データ通信装置内蔵携帯型電話機へ送信するための携帯キャリア用電子メールアドレスに送信させ、
登録されていない場合は、前記電子メールアドレスを前記無線データ通信のためのインターネット用電子メールアドレスに送信させる
ことを実行させるための無線データ通信装置内蔵携帯型電話機用データ受信プログラム。
【請求項１０】
ユーザごとに個別に設定された所定の条件にもとづき移動電話通信回線によるデータ受信又は無線データ通信回線によるデータ受信のいずれかを選択的に行う無線データ通信装置内蔵携帯型電話機用データ受信プログラムであって、
前記ダウンロード管理サーバに、
無線データ通信装置内蔵携帯型電話機から受信した前記ダウンロード要求にもとづいて、前記無線データ通信装置内蔵携帯型電話機に対応するダウンロード許容サイズをユーザ設定情報データベースから抽出させ、
ダウンロード要求データサイズを前記ダウンロード許容サイズと比較させ、
前記ダウンロード要求データサイズが前記ダウンロード許容サイズ以下である場合は、前記移動電話通信回線を介してダウンロードを即実行させ、
前記ダウンロード要求データサイズが前記ダウンロード許容サイズより大きい場合は、無線データ通信エリア内でダウンロードを実行すべきことを示す情報を、前記無線データ通信装置内蔵携帯型電話機に送信させる
ことを実行させるための無線データ通信装置内蔵携帯型電話機用データ受信プログラム。
【請求項１１】
ユーザごとに個別に設定された所定の条件にもとづき移動電話通信回線によるデータ受信又は無線データ通信回線によるデータ受信のいずれかを選択的に行う無線データ通信装置内蔵携帯型電話機用データ受信プログラムであって、
無線データ通信エリア情報提供サーバに、
無線データ通信装置内蔵携帯型電話機から無線データ通信エリア情報通知要求を受信した場合に、当該無線データ通信エリア情報通知要求にもとづいて、位置情報提供サーバから前記無線データ通信装置内蔵携帯型電話機の位置情報を受信させ、
当該位置情報にもとづいて、無線ＬＡＮエリア情報データベースを検索させて前記無線データ通信装置内蔵携帯型電話機の近辺の無線データ通信エリア情報を抽出させ、
この無線データ通信エリア情報を前記無線データ通信装置内蔵携帯型電話機へ送信させる
ことを実行させるための無線データ通信装置内蔵携帯型電話機用データ受信プログラム。
【請求項１２】
ユーザごとに個別に設定された所定の条件にもとづき移動電話通信回線によるデータ受信又は無線データ通信回線によるデータ受信のいずれかを選択的に行う無線データ通信装置内蔵携帯型電話機用データ受信サービス提供サーバであって、
無線データ通信装置内蔵携帯型電話機宛の電子メールを受信すると、当該電子メールから送信元情報を抽出し、この送信元情報が前記無線データ通信装置内蔵携帯型電話機のユーザの識別情報に対応付けてユーザ設定情報データベースに登録されているかどうかを確認し、登録されている場合は、前記移動電話通信回線を介して前記電子メールを前記無線データ通信装置内蔵携帯型電話機へ送信するための携帯キャリア用電子メールアドレスに送信し、登録されていない場合は、前記電子メールアドレスを前記無線データ通信のためのインターネット用電子メールアドレスに送信する
ことを特徴とする無線データ通信装置内蔵携帯型電話機用データ受信サービス提供サーバ。
【請求項１３】
ユーザごとに個別に設定された所定の条件にもとづき移動電話通信回線によるデータ受信又は無線データ通信回線によるデータ受信のいずれかを選択的に行う無線データ通信装置内蔵携帯型電話機用データ受信サービス提供サーバであって、
無線データ通信装置内蔵携帯型電話機から受信した前記ダウンロード要求にもとづいて、前記無線データ通信装置内蔵携帯型電話機に対応するダウンロード許容サイズをユーザ設定情報データベースから抽出し、ダウンロード要求データサイズを前記ダウンロード許容サイズと比較し、前記ダウンロード要求データサイズが前記ダウンロード許容サイズ以下である場合は、前記移動電話通信回線を介してダウンロードを即実行し、前記ダウンロード要求データサイズが前記ダウンロード許容サイズより大きい場合は、無線データ通信エリア内でダウンロードを実行すべきことを示す情報を、前記無線データ通信装置内蔵携帯型電話機に送信する
ことを特徴とする無線データ通信装置内蔵携帯型電話機用データ受信サービス提供サーバ。
【請求項１４】
ユーザごとに個別に設定された所定の条件にもとづき移動電話通信回線によるデータ受信又は無線データ通信回線によるデータ受信のいずれかを選択的に行う無線データ通信装置内蔵携帯型電話機用データ受信サービス提供サーバであって、
無線データ通信装置内蔵携帯型電話機から無線データ通信エリア情報通知要求を受信すると、この無線データ通信エリア情報通知要求にもとづいて、位置情報提供サーバから前記無線データ通信装置内蔵携帯型電話機の位置情報を受信し、当該位置情報にもとづいて、無線ＬＡＮエリア情報データベースを検索して前記無線データ通信装置内蔵携帯型電話機の近辺の無線データ通信エリア情報を抽出し、この無線データ通信エリア情報を前記無線データ通信装置内蔵携帯型電話機へ送信する
ことを特徴とする無線データ通信装置内蔵携帯型電話機用データ受信サービス提供サーバ。
【発明の詳細な説明】
【０００１】
【発明の属する技術分野】
本発明は、携帯型電話機によるデータ受信において、ユーザごとに個別に設定された所定の条件にもとづき移動電話通信回線による受信又は無線ＬＡＮ回線による受信のいずれかを選択的に行う無線データ通信装置内蔵携帯型電話機用データ受信システム、方法、プログラム、及びサービス提供サーバに関する。
【０００２】
【従来の技術】
現在、携帯電話やＰＨＳ等の携帯型電話機による移動電話通信回線を介したデータ受信に対する課金は、基本的に従量課金方式しか提供されていない。
また、この携帯型電話機による移動電話通信回線を介したデータ受信は、通話が可能な広い範囲において行うことができる反面、インターネット回線などを介したデータ受信に比べると、データ転送量が小さく、かつ割高なものとなっている。
このような問題を解決すべく、移動電話通信システム及び無線ＬＡＮシステムの両方を選択的に利用し、インターネット接続において、シームレスに通信料金の低減が可能で、安定した通信品質が得られ、かつ情報伝送速度の高速化も可能なシステム等が提案されている（例えば、特許文献１参照。）。
【０００３】
【特許文献１】
特開２００２−２３６６３２号公報
【０００４】
【発明が解決しようとする課題】
しかしながら、このような従来のシステムによれば、無線ＬＡＮシステムによる通信が可能である場合には、自動的にかつ優先的に無線ＬＡＮに接続することができるものの、ユーザの任意の設定にもとづいて受信方式を選択することはできない。
例えば、所定の相手からの電子メールのみについて移動電話通信回線を介して即受信可能とし、他の者からの電子メールについては、後で無線ＬＡＮ通信により受信するようにしたい場合もある。
また、データのダウンロードを行う場合には、そのデータ量に応じて、移動電話通信回線を通じて即受信するか否かを判断したい場合もある。
しかし、従来のシステムによれば、即時性の必要がない情報や不必要な情報、あるいはデータ量の観点から移動電話通信回線を介した即時受信に適さない情報についてもその場で即受信しなければならないという問題があった。
【０００５】
本発明は、上記の事情にかんがみなされたものであり、携帯型電話機によるデータ受信において、ユーザごとに個別に設定された所定の条件にもとづき移動電話通信回線による受信又は無線ＬＡＮ回線による受信のいずれかを選択的に行うことが可能な無線データ通信装置内蔵携帯型電話機用データ受信システム、方法、プログラム、及びサービス提供サーバの提供を目的とする。
【０００６】
【課題を解決するための手段】
上記目的を達成するため、本発明の請求項１記載の無線データ通信装置内蔵携帯型電話機用データ受信システムは、ユーザごとに個別に設定された所定の条件にもとづき移動電話通信回線によるデータ受信又は無線データ通信回線によるデータ受信のいずれかを選択的に行う無線データ通信装置内蔵携帯型電話機用データ受信システムであって、電子メールを受信する無線データ通信装置内蔵携帯型電話機と、無線データ通信装置内蔵携帯型電話機宛の電子メールを受信すると、当該電子メールから送信元情報を抽出し、この送信元情報が無線データ通信装置内蔵携帯型電話機のユーザの識別情報に対応付けてユーザ設定情報データベースに登録されているかどうかを確認し、登録されている場合は、移動電話通信回線を介して電子メールを無線データ通信装置内蔵携帯型電話機へ送信するための携帯キャリア用電子メールアドレスに送信し、登録されていない場合は、電子メールアドレスを無線データ通信のためのインターネット用電子メールアドレスに送信する電子メール転送サーバと、無線データ通信装置内蔵携帯型電話機と電子メール転送サーバを接続する移動電話通信回線及び無線データ通信回線と、を有する構成としてある。
【０００７】
無線データ通信装置内蔵携帯型電話機用データ受信システムをこのような構成にすれば、ユーザ設定情報データベースに登録されている送信元から送信されてきた電子メールについてのみ、移動電話通信回線を介して無線データ通信装置内蔵携帯型電話機に即時受信させるようにすることができる。
また、登録されていない送信元から送信されてきた電子メールについては、即時受信を防止することができる。
このため、基本的に従量課金方式が用いられている移動電話通信回線によるデータの受信は、特定の重要な相手のみからの電子メールに制限し、不必要な情報等については、比較的廉価な無線データ通信を用いて受信するようにすることができる。
【０００８】
なお、「移動電話通信回線」とは、携帯電話回線、ＰＨＳ電話回線等の通信回線を意味する。
「無線データ通信回線」とは、無線ＬＡＮやＢｌｕｅｔｏｏｔｈ等の通信規格によるインターネット通信を行うための回線を意味する。また、「無線データ通信装置」としては、例えば、無線ＬＡＮ通信装置とすることができる。
「無線データ通信装置内蔵携帯型電話機」において、「内蔵」とは、取り外し可能であってもかまわない。
「ユーザの識別情報」とは、例えば、無線データ通信装置内蔵携帯型電話機の電話番号などとすることができる。
「送信元情報」としては、例えば、送信元の電子メールアドレスやドメイン名等とすることができる。
【０００９】
本発明の請求項２記載の無線データ通信装置内蔵携帯型電話機用データ受信システムは、無線データ通信装置内蔵携帯型電話機が、インターネット用電子メールアドレスに電子メールを受信した場合、当該電子メールにおけるインターネット用電子メールアドレスを携帯キャリア用電子メールアドレスに変換し、インターネット用電子メールアドレスを表示しない構成としてある。
【００１０】
無線データ通信装置内蔵携帯型電話機用データ受信システムをこのような構成にすれば、ユーザは、移動電話通信回線を介した電子メールの受信に用いる携帯キャリア用電子メールアドレスと、インターネットを介した電子メールの受信に用いるインターネット用電子メールアドレスの二つの電子メールアドレスを使用しても、無線データ通信装置内蔵携帯型電話機においては携帯キャリア用電子メールアドレスのみを表示することができる。
すなわち、無線データ通信装置内蔵携帯型電話機が保有するメーラなどの機能として、インターネット用電子メールアドレスに送信されてきた電子メールについても、携帯キャリア用電子メールアドレスに送信されてきたものとしてアドレスの変換を行うことによって、ユーザに携帯キャリア用電子メールアドレスのみを認識させるようにすることができる。
このため、ユーザが、本システムにおいて二つのアドレスを用いることにより混乱することを防止することが可能となる。
【００１１】
本発明の請求項３記載の無線データ通信装置内蔵携帯型電話機用データ受信システムは、ユーザごとに個別に設定された所定の条件にもとづき移動電話通信回線によるデータ受信又は無線データ通信回線によるデータ受信のいずれかを選択的に行う無線データ通信装置内蔵携帯型電話機用データ受信システムであって、ダウンロード管理サーバに、データのダウンロード要求を送信する無線データ通信装置内蔵携帯型電話機と、ダウンロード要求にもとづいて、無線データ通信装置内蔵携帯型電話機に対応するダウンロード許容サイズをユーザ設定情報データベースから抽出し、ダウンロード要求データサイズをダウンロード許容サイズと比較して、ダウンロード要求データサイズがダウンロード許容サイズ以下である場合は、移動電話通信回線を介してダウンロードを即実行し、ダウンロード要求データサイズがダウンロード許容サイズより大きい場合は、無線データ通信エリア内でダウンロードを実行すべきことを示す情報を、無線データ通信装置内蔵携帯型電話機に送信するダウンロード管理サーバと、無線データ通信装置内蔵携帯型電話機とダウンロード管理サーバを接続する移動電話通信回線及び無線データ通信回線と、を有する構成としてある。
【００１２】
無線データ通信装置内蔵携帯型電話機用データ受信システムをこのような構成にすれば、ユーザごとにダウンロード可能なデータ量の最大値をユーザ設定情報データベースに登録しておくことによって、所定の容量以下の小さなデータについてのみ移動電話通信回線を介して即時受信するとともに、所定の容量を超える大きなデータについては、無線データ通信装置内蔵携帯型電話機が、無線データ通信エリア内に入ったときにダウンロードするようにすることが可能となる。
これによって、ユーザは、例えば、無線データ通信によるデータ受信の課金方式として固定料金を契約しておくことにより、従量課金では負担が大きくなる容量の大きなデータを廉価に入手することが可能となる。
【００１３】
本発明の請求項４記載の無線データ通信装置内蔵携帯型電話機用データ受信システムは、無線データ通信装置内蔵携帯型電話機用データ受信システムが、無線データ通信装置内蔵携帯型電話機に無線データ通信エリア情報を提供する無線データ通信エリア情報提供サーバを有し、当該無線データ通信エリア情報提供サーバが、無線データ通信装置内蔵携帯型電話機から無線データ通信エリア情報通知要求を受信すると、この無線データ通信エリア情報通知要求にもとづいて、位置情報提供サーバから無線データ通信装置内蔵携帯型電話機の位置情報を受信し、かつ、この位置情報にもとづいて、無線ＬＡＮエリア情報データベースを検索して無線データ通信装置内蔵携帯型電話機の近辺の無線データ通信エリア情報を抽出し、この無線データ通信エリア情報を無線データ通信装置内蔵携帯型電話機へ送信する構成としてある。
【００１４】
無線データ通信装置内蔵携帯型電話機用データ受信システムをこのような構成にすれば、例えば、ダウンロード要求データが大きいために即時のダウンロードが行われず、無線データ通信エリアにてダウンロードを実行すべき旨を無線データ通信装置内蔵携帯型電話機によりユーザが受けた場合などに、ユーザは、最寄りの無線データ通信エリアがどこにあるのかということを把握することが可能となる。
このため、ユーザは、無線データ通信エリアに移動して、ダウンロードを実行することが可能となる。
また、無線データ通信エリアに移動することによって、ユーザ設定情報データベースに登録されていない相手先からの電子メールについても無線データ通信により受信することが可能となる。
【００１５】
本発明の請求項５記載の無線データ通信装置内蔵携帯型電話機用データ受信システムは、無線データ通信が、無線ＬＡＮによる通信である構成としてある。
無線データ通信装置内蔵携帯型電話機用データ受信システムをこのような構成にすれば、特に無線ＬＡＮを用いて、インターネット用電子メールアドレスに送信された電子メールを受信することができるとともに、所定の容量を超えるデータについてのダウンロードを実行することが可能となる。
【００１６】
本発明の請求項６記載の無線データ通信装置内蔵携帯型電話機用データ受信方法は、ユーザごとに個別に設定された所定の条件にもとづき移動電話通信回線によるデータ受信又は無線データ通信回線によるデータ受信のいずれかを選択的に行う無線データ通信装置内蔵携帯型電話機用データ受信方法であって、電子メール転送サーバが、無線データ通信装置内蔵携帯型電話機宛の電子メールを受信すると、当該電子メールから送信元情報を抽出し、この送信元情報が無線データ通信装置内蔵携帯型電話機のユーザの識別情報に対応付けてユーザ設定情報データベースに登録されているかどうかを確認し、登録されている場合は、移動電話通信回線を介して電子メールを無線データ通信装置内蔵携帯型電話機へ送信するための携帯キャリア用電子メールアドレスに送信し、登録されていない場合は、電子メールアドレスを無線データ通信のためのインターネット用電子メールアドレスに送信する方法としてある。
【００１７】
無線データ通信装置内蔵携帯型電話機用データ受信方法をこのような方法にすれば、ユーザ設定情報データベースにあらかじめ登録された所定の送信元から送信されてきた電子メールのみを移動電話通信回線を介して即時受信し、その他の送信元から送信されてきた電子メールについては、後で無線データ通信を介して受信するようにすることができる。
このため、不必要な情報などを即時受信することを防止することができるとともに、このような不必要な情報などについては、比較的料金の低廉な無線データ通信を用いて受信することが可能となる。
【００１８】
本発明の請求項７記載の無線データ通信装置内蔵携帯型電話機用データ受信方法は、ユーザごとに個別に設定された所定の条件にもとづき移動電話通信回線によるデータ受信又は無線データ通信回線によるデータ受信のいずれかを選択的に行う無線データ通信装置内蔵携帯型電話機用データ受信方法であって、無線データ通信装置内蔵携帯型電話機が、ダウンロード管理サーバにデータのダウンロード要求を送信し、ダウンロード管理サーバが、ダウンロード要求にもとづいて、無線データ通信装置内蔵携帯型電話機に対応するダウンロード許容サイズをユーザ設定情報データベースから抽出し、ダウンロード要求データサイズをダウンロード許容サイズと比較し、ダウンロード要求データサイズがダウンロード許容サイズ以下である場合は、移動電話通信回線を介してダウンロードを即実行し、ダウンロード要求データサイズがダウンロード許容サイズより大きい場合は、無線データ通信エリア内でダウンロードを実行すべきことを示す情報を、無線データ通信装置内蔵携帯型電話機に送信する方法としてある。
【００１９】
無線データ通信装置内蔵携帯型電話機用データ受信方法をこのような方法にすれば、ユーザ設定情報データベースにあらかじめユーザごとに登録された所定のダウンロード許容サイズにもとづいて、移動電話通信回線を介して即時データを受信するかどうかを判断することができる。
このため、容量の小さなデータについては、移動電話通信回線を介して即時受信するとともに、従量課金では負担の大きい容量の大きなダウンロードデータについては、無線データ通信エリアから受信するようにすることが可能となる。
【００２０】
本発明の請求項８記載の無線データ通信装置内蔵携帯型電話機用データ受信方法は、無線データ通信エリア情報提供サーバが、無線データ通信装置内蔵携帯型電話機から無線データ通信エリア情報通知要求を受信すると、この無線データ通信エリア情報通知要求にもとづいて、位置情報提供サーバから無線データ通信装置内蔵携帯型電話機の位置情報を受信し、当該位置情報にもとづいて、無線ＬＡＮエリア情報データベースを検索して無線データ通信装置内蔵携帯型電話機の近辺の無線データ通信エリア情報を抽出し、この無線データ通信エリア情報を無線データ通信装置内蔵携帯型電話機へ送信する方法としてある。
【００２１】
無線データ通信装置内蔵携帯型電話機用データ受信方法をこのような方法にすれば、ユーザは、無線データ通信装置内蔵携帯型電話機を用いて、最寄りの無線データ通信エリア情報を取得することが可能となる。
このため、ユーザは、この情報を参照することにより、無線データ通信エリア内に移動して、無線データ通信によりユーザ設定情報データベースに登録されていない送信元からの電子メールを受信し、また、所定の容量を超える大きなデータをダウンロードすることが可能となる。
【００２２】
本発明の請求項９記載の無線データ通信装置内蔵携帯型電話機用データ受信プログラムは、ユーザごとに個別に設定された所定の条件にもとづき移動電話通信回線によるデータ受信又は無線データ通信回線によるデータ受信のいずれかを選択的に行う無線データ通信装置内蔵携帯型電話機用データ受信プログラムであって、電子メール転送サーバに、無線データ通信装置内蔵携帯型電話機宛の電子メールを受信した場合に、当該電子メールから送信元情報を抽出させ、この送信元情報が無線データ通信装置内蔵携帯型電話機のユーザの識別情報に対応付けてユーザ設定情報データベースに登録されているかどうかを確認させ、登録されている場合は、移動電話通信回線を介して電子メールを無線データ通信装置内蔵携帯型電話機へ送信するための携帯キャリア用電子メールアドレスに送信させ、登録されていない場合は、電子メールアドレスを無線データ通信のためのインターネット用電子メールアドレスに送信させる構成としてある。
【００２３】
無線データ通信装置内蔵携帯型電話機用データ受信プログラムをこのような構成にすれば、電子メール転送サーバに、受信した電子メールの送信元が、その電子メールの宛先のユーザに対応付けてユーザ設定情報データベースに登録されているかどうかを判断させることにより、所定の送信元から送信されてきた電子メールについてのみ無線データ通信装置内蔵携帯型電話機へ移動電話通信回線を介して即時送信させることができる。
このため、ユーザは、あらかじめ登録した所定の送信元からの電子メールについてのみ移動電話通信回線により即時受信し、即時性の必要のない情報や不必要な情報について、移動電話通信回線を介して即時受信することを防止することが可能となる。
【００２４】
本発明の請求項１０記載の無線データ通信装置内蔵携帯型電話機用データ受信プログラムは、ユーザごとに個別に設定された所定の条件にもとづき移動電話通信回線によるデータ受信又は無線データ通信回線によるデータ受信のいずれかを選択的に行う無線データ通信装置内蔵携帯型電話機用データ受信プログラムであって、ダウンロード管理サーバに、無線データ通信装置内蔵携帯型電話機から受信したダウンロード要求にもとづいて、無線データ通信装置内蔵携帯型電話機に対応するダウンロード許容サイズをユーザ設定情報データベースから抽出させ、ダウンロード要求データサイズをダウンロード許容サイズと比較させ、ダウンロード要求データサイズがダウンロード許容サイズ以下である場合は、移動電話通信回線を介してダウンロードを即実行させ、ダウンロード要求データサイズがダウンロード許容サイズより大きい場合は、無線データ通信エリア内でダウンロードを実行すべきことを示す情報を、無線データ通信装置内蔵携帯型電話機に送信させる構成としてある。
【００２５】
無線データ通信装置内蔵携帯型電話機用データ受信プログラムをこのような構成にすれば、ダウンロード管理サーバに、無線データ通信装置内蔵携帯型電話機から要求されたダウンロードデータについて、その容量が所定の大きさ以下であるかどうかを判断させ、所定の範囲の小さなデータについてのみ移動電話通信回線を介して即時受信させることができる。
その結果、所定の容量より大きいダウンロードデータについては、無線データ通信により受信することが可能となる。
このため、移動電話通信において一般的に採用されている従量課金方式では負担の重い大きなダウンロードデータについては、比較的料金の低廉な無線データ通信によって受信することが可能となる。
【００２６】
本発明の請求項１１記載の無線データ通信装置内蔵携帯型電話機用データ受信プログラムは、ユーザごとに個別に設定された所定の条件にもとづき移動電話通信回線によるデータ受信又は無線データ通信回線によるデータ受信のいずれかを選択的に行う無線データ通信装置内蔵携帯型電話機用データ受信プログラムであって、無線データ通信エリア情報提供サーバに、無線データ通信装置内蔵携帯型電話機から無線データ通信エリア情報通知要求を受信した場合に、当該無線データ通信エリア情報通知要求にもとづいて、位置情報提供サーバから無線データ通信装置内蔵携帯型電話機の位置情報を受信させ、当該位置情報にもとづいて、無線ＬＡＮエリア情報データベースを検索させて無線データ通信装置内蔵携帯型電話機の近辺の無線データ通信エリア情報を抽出させ、この無線データ通信エリア情報を無線データ通信装置内蔵携帯型電話機へ送信させる構成としてある。
【００２７】
無線データ通信装置内蔵携帯型電話機用データ受信プログラムをこのような構成にすれば、無線ＬＡＮエリア情報提供サーバに、無線データ通信装置内蔵携帯型電話機の近辺にある無線データ通信エリア情報を取得させ、無線データ通信装置内蔵携帯型電話機に送信させることができる。
このため、ユーザは、この無線データ通信エリア情報を参照することによって、無線データ通信エリアに移動し、ユーザ設定情報データベースに登録されていない送信元からの電子メールを受信したり、所定のサイズを超える大きなダウンロード要求データを受信することが可能となる。
【００２８】
本発明の請求項１２記載の無線データ通信装置内蔵携帯型電話機用データ受信サービス提供サーバは、ユーザごとに個別に設定された所定の条件にもとづき移動電話通信回線によるデータ受信又は無線データ通信回線によるデータ受信のいずれかを選択的に行う無線データ通信装置内蔵携帯型電話機用データ受信サービス提供サーバであって、無線データ通信装置内蔵携帯型電話機宛の電子メールを受信すると、当該電子メールから送信元情報を抽出し、この送信元情報が無線データ通信装置内蔵携帯型電話機のユーザの識別情報に対応付けてユーザ設定情報データベースに登録されているかどうかを確認し、登録されている場合は、移動電話通信回線を介して電子メールを無線データ通信装置内蔵携帯型電話機へ送信するための携帯キャリア用電子メールアドレスに送信し、登録されていない場合は、電子メールアドレスを無線データ通信のためのインターネット用電子メールアドレスに送信する構成としてある。
【００２９】
無線データ通信装置内蔵携帯型電話機用データ受信サービス提供サーバをこのような構成にすれば、受信した電子メールをその宛先にそのまま送信するのではなく、電子メールの送信元を確認し、電子メールの宛先のユーザ設定情報として、この送信元が登録されているか否かにもとづいて、送信方法を判断することが可能となる。
このため、ユーザは、特定の相手以外からの電子メールの即時受信を防止することが可能となる。
【００３０】
本発明の請求項１３記載の無線データ通信装置内蔵携帯型電話機用データ受信サービス提供サーバは、ユーザごとに個別に設定された所定の条件にもとづき移動電話通信回線によるデータ受信又は無線データ通信回線によるデータ受信のいずれかを選択的に行う無線データ通信装置内蔵携帯型電話機用データ受信サービス提供サーバであって、無線データ通信装置内蔵携帯型電話機から受信したダウンロード要求にもとづいて、無線データ通信装置内蔵携帯型電話機に対応するダウンロード許容サイズをユーザ設定情報データベースから抽出し、ダウンロード要求データサイズをダウンロード許容サイズと比較し、ダウンロード要求データサイズがダウンロード許容サイズ以下である場合は、移動電話通信回線を介してダウンロードを即実行し、ダウンロード要求データサイズがダウンロード許容サイズより大きい場合は、無線データ通信エリア内でダウンロードを実行すべきことを示す情報を、無線データ通信装置内蔵携帯型電話機に送信する構成としてある。
【００３１】
無線データ通信装置内蔵携帯型電話機用データ受信サービス提供サーバをこのような構成にすれば、ダウンロード要求に対して、即時これを実行するのではなく、ダウンロード要求データのサイズを確認して、そのサイズが所定の大きさ以下であり、ユーザにとって、移動電話通信回線によるダウンロードを行うことに無理が場合にのみ実行することが可能となる。
すなわち、ユーザは、あらかじめユーザ設定情報として登録した所定のダウンロード許容サイズにもとづいて、ダウンロードの制限を行うことができ、一定の大きさを超えるデータについては、無線データ通信エリアにて受信を行うべきという通知を受けるようにすることができる。
このため、ユーザは、ダウンロードに必要な時間や費用を考慮した適切なダウンロードを行うことが可能となる。
【００３２】
本発明の請求項１４記載の無線データ通信装置内蔵携帯型電話機用データ受信サービス提供サーバは、ユーザごとに個別に設定された所定の条件にもとづき移動電話通信回線によるデータ受信又は無線データ通信回線によるデータ受信のいずれかを選択的に行う無線データ通信装置内蔵携帯型電話機用データ受信サービス提供サーバであって、無線データ通信装置内蔵携帯型電話機から無線データ通信エリア情報通知要求を受信すると、この無線データ通信エリア情報通知要求にもとづいて、位置情報提供サーバから無線データ通信装置内蔵携帯型電話機の位置情報を受信し、当該位置情報にもとづいて、無線ＬＡＮエリア情報データベースを検索して無線データ通信装置内蔵携帯型電話機の近辺の無線データ通信エリア情報を抽出し、この無線データ通信エリア情報を無線データ通信装置内蔵携帯型電話機へ送信する構成としてある。
【００３３】
無線データ通信装置内蔵携帯型電話機用データ受信サービス提供サーバをこのような構成にすれば、無線データ通信装置内蔵携帯型電話機に最寄りの無線データ通信エリアが、どこにあるかという情報を送信することができる。
このため、ユーザが無線データ通信エリア外の場所で、ユーザ設定情報として登録している送信元以外の相手からの電子メールを受信したい場合や、登録したダウンロード許容サイズを超える大きさのダウンロードデータを受信したい場合に、適切に無線データ通信エリアに移動して、無線データ通信装置内蔵携帯型電話機を用いてこれらを実行することが可能となる。
【００３４】
【発明の実施の形態】
以下、本発明の実施形態につき、図面を参照して説明する。
まず、本発明の第実施形態の構成について、図１及び図２を参照して説明する。図１は、本実施形態の無線データ通信装置内蔵携帯型電話機用データ受信システムの構成を示すブロック図である。図２は、同システムにおけるユーザ設定情報を示す図である。
【００３５】
図１に示すように、本実施形態の無線データ通信装置内蔵携帯型電話機用データ受信システムは、携帯型電話機によるデータ受信において、ユーザごとにあらかじめ設定した条件にもとづいて、移動電話通信回線による受信又は無線ＬＡＮ回線等による受信のいずれかを選択可能とするシステムであって、無線ＬＡＮ内蔵携帯型電話機１０，電子メール転送サーバ２０，ダウンロード管理サーバ３０，無線ＬＡＮエリア情報提供サーバ４０，位置情報提供サーバ５０，ユーザ設定情報データベース６０，無線ＬＡＮエリア情報データベース７０，携帯型電話ネットワーク８０、及び無線ＬＡＮエリア９０を有している。
【００３６】
無線ＬＡＮ内蔵携帯型電話機１０は、無線ＬＡＮ通信機能を有し、移動電話通信回線を介したデータ受信と、無線ＬＡＮを介したデータ受信を行うことの可能な携帯型電話機であり、例えば、携帯電話機、ＰＨＳ等とすることができる。
また、この無線ＬＡＮ内蔵携帯型電話機１０は、電子メールアドレスとして、携帯キャリア用とインターネット用の二つを利用可能としたものである。
【００３７】
本実施形態では、適宜電子メールアドレス変換を行って、ユーザには携帯キャリア用電子メールアドレスのみを意識させるようにしてある。すなわち、当該無線ＬＡＮ内蔵携帯型電話機１０におけるメーラに、受信電子メールの宛先アドレスがインターネット用電子メールアドレスの場合は、携帯キャリア用電子メールアドレスに変更して表示させる。
これにより、ユーザが、本システムにおいて二つのアドレスを用いることにより混乱することを防止することが可能となる。
なお、携帯キャリア用電子メールアドレスに対して、無線ＬＡＮエリアからのデータ送信が可能である場合には、無線ＬＡＮ内蔵携帯型電話機１０に当該携帯キャリア用電子メールアドレスのみを保有させるようにしてもよい。
【００３８】
電子メール転送サーバ２０は、無線ＬＡＮ内蔵携帯型電話機１０の携帯キャリア用電子メールアドレス向けの電子メールを受信すると、ユーザ設定情報データベース６０を検索して、同電子メールの送信元が登録されているか否かを確認する。
そして、登録されている場合は、即時携帯キャリア用電子メールアドレスに送信し、登録されていない場合は、同電子メールの送信先をインターネット用電子メールアドレスに変換して送信し、無線ＬＡＮエリア９０からの受信を可能とする。
この電子メール転送サーバ２０における各機能は、一般的に携帯電話等の電子メールの送受信において使用される、電子メールを記憶して管理するセンタサーバ（メールサーバ）などの機能の一部として保有させるようにすることができる。
【００３９】
ダウンロード管理サーバ３０は、無線ＬＡＮ内蔵携帯型電話機１０がデータのダウンロードを行う際に、そのダウンロード要求データサイズとユーザ設定情報データベース６０に登録されているダウンロード許容データサイズを比較する。そして、ダウンロード要求データサイズが、ダウンロード許容データサイズ以下の場合は、即時、携帯型電話ネットワーク８０を介してダウンロードを実行させ、ダウンロード許容データサイズより大きい場合は、無線ＬＡＮエリア９０内でダウンロードを実行すべき旨を無線ＬＡＮ内蔵携帯型電話機１０に対して送信する。
この場合、無線ＬＡＮ内蔵携帯型電話機１０は、無線ＬＡＮエリア９０内に位置する条件下でダウンロードを実行することとなる。
【００４０】
なお、ダウンロード要求データサイズが、ダウンロード許容データサイズより小さい場合に、即時、携帯型電話ネットワーク８０を介してダウンロードを実行させ、ダウンロード許容データサイズ以上の場合に、無線ＬＡＮエリア９０内でダウンロードを実行すべき旨を無線ＬＡＮ内蔵携帯型電話機１０に対して送信するようにすることももちろん可能である。例えば、図２に示す第一レコードにはダウンロード許容サイズとして１０ｋが設定されているが、この場合、ダウンロード要求データサイズが１０ｋのデータを即時受信対象とするようにしても、あるいは１０ｋのデータは、即時対象としないようにしてもかまわない。
【００４１】
無線ＬＡＮエリア情報提供サーバ４０は、無線ＬＡＮ内蔵携帯型電話機１０から無線ＬＡＮエリア通知要求を受け取ると、位置情報提供サーバ５０から無線ＬＡＮ内蔵携帯型電話機１０の位置情報を取得する。
そして、この位置の近辺の無線ＬＡＮエリア情報を無線ＬＡＮエリア情報データベース７０から取得し、無線ＬＡＮ内蔵携帯型電話機１０に送信する。
無線ＬＡＮ内蔵携帯型電話機１０は、送信されてきた無線ＬＡＮエリア情報を電子メールなどにて受信することができる。
また、無線ＬＡＮエリア情報提供サーバ４０に無線ＬＡＮエリア情報提供用のＷｅｂサイトを保有させて、無線ＬＡＮ内蔵携帯型電話機１０にＷｅｂ画面などによって上記無線ＬＡＮエリア情報を参照可能とすることも好ましい。
【００４２】
位置情報提供サーバ５０は、無線ＬＡＮ内蔵携帯型電話機１０の位置情報を提供する機能を有する。この位置情報提供サーバ５０による無線ＬＡＮ内蔵携帯型電話機１０への位置情報の提供については、基地局やＧＰＳの情報を利用した既存の位置情報取得サービスを用いることができる。
【００４３】
ユーザ設定情報データベース６０は、ユーザを識別することの可能なＩＤごとに、即時受信を行う対象を識別する送信元情報と、ダウンロード許容データサイズを保有するデータベースである。図２は、このユーザ設定情報データベース６０におけるユーザ設定情報の例を示している。
図１において、このユーザ設定情報データベース６０は、独立して表示しているが、これは、本発明の無線データ通信装置内蔵携帯型電話機用データ受信システムの機能の説明を明確化するためのものであり、電子メール転送サーバ２０内の構成、あるいはダウンロード管理サーバ３０内の構成とすることが好ましい。また、これらのサーバの外部記憶装置内の構成としたり、あるいは、携帯型電話ネットワーク８０などを介してこれらのサーバに接続する他の情報処理装置における構成とすることも可能である。
【００４４】
なお、このユーザ設定情報における「即時受信希望送信元電子メールアドレス」や「ダウンロード許容サイズ」等のデータは、ユーザにより自由に登録・変更可能とすることが好ましい。
その方法としては、例えば、電子メール転送サーバ２０等にユーザ設定情報の登録・変更を行うためのＷｅｂサイトなどを保有させ、無線ＬＡＮ内蔵携帯型電話機１０がこれにアクセスして、上記情報を入力し、電子メール転送サーバ２０等に送信して登録させるようにすることができる。
また、ユーザ設定情報として、「即時受信を希望しない送信元電子メールアドレス」を登録し、電子メール転送サーバ２０に送信されてきた電子メールの送信元がこれに該当する場合に、電子メール転送サーバ２０が、この電子メールをインターネット用電子メールアドレスに送信するようにすることも可能である。
【００４５】
無線ＬＡＮエリア情報データベース７０は、ユーザが利用可能な全ての無線ＬＡＮエリア情報を有するデータベースであり、図１においては、ユーザ設定情報データベース６０と同様に独立した構成として表示しているが、無線ＬＡＮエリア情報提供サーバ４０内の構成とすることが好ましい。
また、ユーザ設定情報データベース６０と同様に、無線ＬＡＮエリア情報提供サーバ４０内の構成としたり、あるいは、携帯型電話ネットワーク８０などを介して無線ＬＡＮエリア情報提供サーバ４０に接続する他の情報処理装置における構成とすることも可能である。
【００４６】
携帯型電話ネットワーク８０は、移動電話通信回線であり、携帯型電話サービスを提供するネットワークである。
無線ＬＡＮエリア９０は、無線データ通信エリアであって、無線ＬＡＮ内蔵携帯型電話機１０が無線ＬＡＮを利用できる環境を構成するものであり、無線ＬＡＮによるインターネット接続を可能とするアクセスポイント等を有している。
【００４７】
次に、本実施形態の無線データ通信装置内蔵携帯型電話機用データ受信システムにおける処理手順について、図３〜図５を参照して説明する。
図３〜図５は、それぞれ本実施形態の無線データ通信装置内蔵携帯型電話機用データ受信システムにおける電子メール転送処理手順、データダウンロード処理手順、及び無線ＬＡＮエリア情報提供処理手順を示す動作手順図である。
【００４８】
＜無線ＬＡＮ内蔵携帯型電話機１０への電子メール転送処理手順＞
まず、図３を参照して、本実施形態の無線データ通信装置内蔵携帯型電話機用データ受信システムにおける電子メール転送処理手順について説明する。
電子メール転送サーバ２０は、無線ＬＡＮ内蔵携帯型電話機１０宛の電子メールを受信すると（ステップ１０）、この電子メールのヘッダ情報等から送信元の電子メールアドレスを読み出し、この送信元の電子メールアドレスがユーザ設定情報データベース６０に登録されているかどうかを検索して確認する（ステップ１１）。
【００４９】
このとき、図２に示すユーザ設定情報を用いた場合には、宛先（ユーザ）の識別ＩＤとして、携帯電話番号を用いて、ユーザ設定情報データベース６０を検索し、抽出されたレコードにおける「即時受信希望送信元電子メールアドレス」に、上記の電子メールのヘッダ情報から読み出された送信元の電子メールアドレスが登録されているかどうかを確認する。
例えば、電子メール転送サーバ２０が受信した電子メールアドレスの宛先の識別ＩＤとして、「０９０−ＸＸＸＸ−ＸＸＸＸ」が得られ、その送信元の電子メールアドレスが、「ＡＡＡＡ＠ｂｂｂ．ｃｏｍ」である場合は、登録されていると判断される。
なお、電子メールアドレスの宛先の識別ＩＤとしては、携帯電話番号のみならず、例えば、宛先の電子メールアドレスを用いたり、電子メールの題名などに所定の識別ＩＤをもたせて、これにもとづき判断を可能としたりすることも可能である。
【００５０】
そして、送信元の電子メールアドレスが、ユーザ設定情報データベース６０に登録されている場合は、電子メール転送サーバ２０は、無線ＬＡＮ内蔵携帯型電話機１０の携帯キャリア用電子メールアドレス宛に電子メールを送信する。
また、送信元の電子メールアドレスが、ユーザ設定情報データベース６０に登録されていない場合は、電子メール転送サーバ２０は、無線ＬＡＮ内蔵携帯型電話機１０のインターネット用電子メールアドレス宛に電子メールを送信する（ステップ１２）。
【００５１】
＜無線ＬＡＮ内蔵携帯型電話機１０へのデータのダウンロード処理手順＞
次に、図４を参照して、本実施形態の無線データ通信装置内蔵携帯型電話機用データ受信システムにおけるデータのダウンロード処理手順について説明する。無線ＬＡＮ内蔵携帯型電話機１０が、データのダウンロード要求をダウンロード管理サーバ３０に送信する（ステップ２０）。
このダウンロード要求は、無線ＬＡＮ内蔵携帯型電話機１０を識別することのできるＩＤと、ダウンロード要求対象を識別する情報を有している。
【００５２】
ダウンロード管理サーバ３０は、ダウンロード要求を受信すると、このダウンロード要求に含まれる識別ＩＤにもとづいて、ユーザ設定情報データベース６０を検索し、この識別ＩＤに対応するダウンロード許容サイズを抽出する（ステップ２１）。
ユーザ設定情報データベース６０が、図２に示すようなデータ構造を有している場合に、ダウンロード要求の識別ＩＤが「０９０−ＸＸＸＸ−ＸＸＸＸ」であれば、ダウンロード許容サイズとしては、「１０ｋ」が得られることとなる。
【００５３】
次に、ダウンロード管理サーバ３０は、ダウンロード要求に含まれるダウンロード要求対象を識別する情報にもとづいて、ダウンロード（要求）データサイズを特定する。
このダウンロード管理サーバ３０によるダウンロードデータサイズは、例えば、ダウンロード管理サーバ３０が、ダウンロードデータを記憶している場合には、ダウンロード管理サーバ３０が、ダウンロード要求対象を識別する情報にもとづいて、記憶しているダウンロードデータを検索することによって得ることができる。
【００５４】
また、ダウンロードデータを、ダウンロード管理サーバ３０に携帯型電話ネットワーク８０などを介して接続される他の情報処理装置が記憶している場合は、ダウンロード管理サーバ３０が、ダウンロード要求対象を識別する情報にもとづいて、この他の情報処理装置が記憶するダウンロードデータを検索することにより、ダウンロードデータサイズを得ることができる。
さらに、ダウンロード要求自体に、ダウンロードデータサイズを保有させるようにすることもできる。
【００５５】
次に、ダウンロード管理サーバ３０は、ダウンロードデータサイズとダウンロード許容サイズを比較する（ステップ２２）。
そして、ダウンロードデータサイズが、ダウンロード許容サイズ以下である場合には、ダウンロードを実行する。
このとき、ダウンロード管理サーバ３０が、ダウンロードデータを記憶している場合は、ダウンロード管理サーバ３０が、ダウンロードデータを無線ＬＡＮ内蔵携帯型電話機１０に送信する。
また、ダウンロードデータをダウンロード管理サーバ３０以外の情報処理装置が記憶している場合には、その情報処理装置からダウンロードデータを無線ＬＡＮ内蔵携帯型電話機１０に送信するようにすることもできる。
【００５６】
ダウンロードデータサイズが、ダウンロード許容サイズよりも大きい場合は、無線ＬＡＮエリア９０内においてダウンロードを行うべき旨の通知、すなわち無線ＬＡＮエリア９０からダウンロードを実行できるということを示す情報を記述したダウンロード確認通知を、無線ＬＡＮ内蔵携帯型電話機１０に対して送信する。
このダウンロード確認通知送信は、例えば、ダウンロード管理サーバ３０が、ダウンロードデータ提供用のＷｅｂサイトを管理して、無線ＬＡＮ内蔵携帯型電話機１０からのアクセスに応じて、Ｗｅｂ画面を送信し、この画面を通じて行うようにすることができる。
また、上述の無線ＬＡＮ内蔵携帯型電話機１０によるダウンロード管理サーバ３０へのダウンロード要求についても、このＷｅｂサイトを通じて行うようにすることができる。
【００５７】
さらに、上記ダウンロード確認通知を、ダウンロード管理サーバ３０が、携帯キャリア用電子メールアドレス宛に、携帯型電話ネットワーク８０を介して送信するようにすることもできる。
また、無線ＬＡＮ内蔵携帯型電話機１０のインターネット用電子メールアドレスに、無線ＬＡＮエリア９０からダウンロードを実行できる情報を記述したダウンロード確認通知を送信するようにすることもできる。
無線ＬＡＮ内蔵携帯型電話機１０は、ダウンロード確認通知を受信した場合には、無線ＬＡＮエリア９０内において、無線ＬＡＮを介してダウンロードを実行する（ステップ２３）。
【００５８】
＜無線ＬＡＮ内蔵携帯型電話機１０への無線ＬＡＮエリア情報提供処理手順＞
次に、図５を参照して、本実施形態の無線データ通信装置内蔵携帯型電話機用データ受信システムにおける無線ＬＡＮエリア情報提供処理手順について説明する。
無線ＬＡＮ内蔵携帯型電話機１０が、無線ＬＡＮエリア通知要求を無線ＬＡＮエリア情報提供サーバ４０に送信する（ステップ３０）。
無線ＬＡＮエリア情報提供サーバ４０は、無線ＬＡＮエリア通知要求を受信すると、位置情報提供サーバ５０にアクセスし、この無線ＬＡＮエリア通知要求にもとづいて、当該無線ＬＡＮ内蔵携帯型電話機１０の位置情報を取得する（ステップ３１）。この位置情報の取得については、基地局やＧＰＳの情報を利用した既存の一般的な位置情報取得サービスを用いるようにすることができる。
【００５９】
次に、無線ＬＡＮエリア情報提供サーバ４０は、上記取得した位置情報にもとづいて、無線ＬＡＮエリア情報データベース７０を検索し、この位置情報近辺の無線ＬＡＮエリア９０を抽出して、これを無線ＬＡＮ内蔵携帯型電話機１０に通知する（ステップ３２）。
【００６０】
この位置情報近辺の無線ＬＡＮエリア９０の抽出の詳細な条件については、任意に設定することができる。
例えば、無線ＬＡＮ内蔵携帯型電話機１０の利用可能な地域を、緯度及び経度にもとづいて所定の範囲ごとに区切り、この範囲ごとに最も近辺にある無線ＬＡＮエリア９０を対応付ける情報を無線ＬＡＮエリア情報データベース７０に保有させることによって、無線ＬＡＮ内蔵携帯型電話機１０の位置情報にもとづき、その位置に最寄りの無線ＬＡＮエリア９０を抽出するようにすることができる。また、抽出した無線ＬＡＮエリア９０情報の無線ＬＡＮ内蔵携帯型電話機１０への通知については、上述のステップ２２におけるダウンロード確認通知の場合と同様に、Ｗｅｂ画面による送信や、携帯型電話ネットワーク８０を介する携帯キャリア用電子メールアドレスへの電子メールによる送信などとすることができる。
【００６１】
以上説明したように、本実施形態の無線データ通信装置内蔵携帯型電話機用データ受信システムによれば、携帯型電話機によるデータ受信において、ユーザにより設定された所定の条件にもとづき移動電話通信回線による受信又は無線ＬＡＮ回線による受信のいずれかを選択的に行うことが可能となる。
このため、特定の送信元からの電子メールのみを移動電話通信回線を介して即時に受信するとともに、その他の送信元からの電子メールについては、後で一律に無線ＬＡＮエリア内に入った時に受信するようにすることが可能となる。
また、データのダウンロードを行う場合には、そのデータ量が所定の大きさ以下である場合にのみ、移動電話通信回線を介して即時に受信し、所定の大きさより大きい場合には、後で一律に無線ＬＡＮエリア内に入った時にダウンロードするようにすることが可能となる。
さらに、必要な場合に、適切に無線ＬＡＮエリアに移動することができるように、無線ＬＡＮエリア情報を、無線データ通信装置内蔵携帯型電話機を用いて容易に取得することも可能となる。
【００６２】
上記の実施形態におけるユーザ設定情報データベース６０に対する電子メールの送信元が登録されているかどうかの検索や、ダウンロード許容サイズの抽出等は、無線データ通信装置内蔵携帯型電話機用データ受信プログラムにより実行される。
この無線データ通信装置内蔵携帯型電話機用データ受信プログラムは、コンピュータの各構成要素に指令を送り、所定の処理、例えば、ユーザ設定情報データベース６０に対する電子メールの送信元が登録されているかどうかの検索処理や、ダウンロード許容サイズの抽出処理等を行わせる。
これによって、これらの処理は、無線データ通信装置内蔵携帯型電話機用データ受信プログラムとコンピュータとが協働した電子メール転送サーバ２０、ダウンロード管理サーバ３０などにより実現される。
【００６３】
なお、無線データ通信装置内蔵携帯型電話機用データ受信プログラムは、コンピュータのＲＯＭやハードディスクに記憶させる他、コンピュータ読み取り可能な記録媒体、たとえば、外部記憶装置及び可搬記録媒体等に格納することができる。
外部記憶装置とは、磁気ディスク等の記録媒体を内蔵し、例えば電子メール転送サーバなどに外部接続される記憶増設装置をいう。一方、可搬記録媒体とは、記録媒体駆動装置（ドライブ装置）に装着でき、かつ、持ち運び可能な記録媒体であって、たとえば、ＣＤ−ＲＯＭ、フレキシブルディスク、メモリカード、光磁気ディスク等をいう。
【００６４】
そして、記録媒体に記録されたプログラムは、コンピュータのＲＡＭにロードされて、ＣＰＵにより実行される。この実行により、上述した本実施形態の電子メール転送サーバ２０等の機能が実現される。
さらに、コンピュータで無線データ通信装置内蔵携帯型電話機用データ受信プログラムをロードする場合、他のコンピュータで保有された無線データ通信装置内蔵携帯型電話機用データ受信プログラムを、通信回線を利用して自己の有するＲＡＭや外部記憶装置にダウンロードすることもできる。
このダウンロードされた無線データ通信装置内蔵携帯型電話機用データ受信プログラムも、ＣＰＵにより実行され、本実施形態のユーザ設定情報データベース６０に対する電子メールの送信元が登録されているかどうかの検索処理や、ダウンロード許容サイズの抽出処理等を実現する。
【００６５】
なお、本発明は以上の実施形態に限定されるものではなく、本発明の範囲内において、種々の変更実施が可能であることは言うまでもない。
例えば、携帯型電話機に内蔵する無線データ通信装置を無線ＬＡＮ規格によるものでなく、ブルートゥース（Ｂｌｕｅｔｏｏｔｈ）などの他の無線規格によるものとすることが可能である。
また、ユーザ設定情報における電子メールの送信元を識別するための情報を、送信元電子メールアドレスではなく、送信元のドメイン名により判断するようにすることができる。
さらに、ダウンロードを移動電話通信回線又は無線ＬＡＮのいずれにより行うかを判断するためのダウンロード許容サイズを月間のトータルサイズとし、ダウンロード要求されたデータにより、この月間のトータルサイズが超過する場合に、無線ＬＡＮでのダウンロードに切り替えるようにするなど適宜変更することが可能である。
【００６６】
【発明の効果】
以上のように、本発明によれば、携帯型電話機によるデータ受信において、ユーザにより設定された所定の条件にもとづき移動電話通信回線による受信又は無線ＬＡＮ回線による受信のいずれかを選択的に行うことが可能となる。
このため、特定の送信元からの電子メールのみを移動電話通信回線を介して即時に受信するとともに、その他の送信元からの電子メールについては、後で一律に無線データ通信エリア内に入った時に受信するようにすることなどが可能となる。その結果、不必要な情報などを即時受信することを防止することができるとともに、このような不必要な情報などについては、比較的料金の低廉な無線データ通信を使用して受信するようにすることが可能となる。
【００６７】
また、データのダウンロードを行う場合には、そのデータ量が所定の大きさ以下である場合にのみ、移動電話通信回線を介して即時に受信し、所定の大きさより大きい場合には、後で一律に無線ＬＡＮエリア内に入った時にダウンロードするようにすることが可能となる。
さらに、必要な場合に、適切に無線ＬＡＮエリアに移動することができるように、無線ＬＡＮエリア情報を、無線データ通信装置内蔵携帯型電話機を用いて容易に取得することも可能となる。
【００６８】
加えて、無線データ通信装置内蔵携帯型電話機用データ受信プログラムは、コンピュータの各構成要素へ所定の指令を送ることにより、このユーザ設定情報データベースに対する電子メールの送信元が登録されているかどうかの検索機能や、ダウンロード許容サイズの抽出機能等を実現させることができる。
これによって、これらの機能等は、無線データ通信装置内蔵携帯型電話機用データ受信プログラムとコンピュータとが協働した電子メール転送サーバやダウンロード管理サーバなどにより実現可能である。
【図面の簡単な説明】
【図１】本発明の実施形態の無線データ通信装置内蔵携帯型電話機用データ受信システムの構成を示すブロック図である。
【図２】本発明の実施形態の無線データ通信装置内蔵携帯型電話機用データ受信システムにおけるユーザ設定情報を示す図である。
【図３】本発明の実施形態の無線データ通信装置内蔵携帯型電話機用データ受信システムにおける電子メール転送処理手順を示す動作手順図である。
【図４】本発明の実施形態の無線データ通信装置内蔵携帯型電話機用データ受信システムにおけるデータダウンロード処理手順を示す動作手順図である。
【図５】本発明の実施形態の無線データ通信装置内蔵携帯型電話機用データ受信システムにおける無線ＬＡＮエリア情報提供処理手順を示す動作手順図である。
【符号の説明】
１０  無線ＬＡＮ内蔵携帯型電話機
２０  電子メール転送サーバ
３０  ダウンロード管理サーバ
４０  無線ＬＡＮエリア情報提供サーバ
５０  位置情報提供サーバ
６０  ユーザ設定情報データベース
７０  無線ＬＡＮエリア情報データベース
８０  携帯型電話ネットワーク
９０  無線ＬＡＮエリア
【図１】
2004260490.tif 000003
【図２】
2004260490.tif 000004
【図３】
2004260490.tif 000005
【図４】
2004260490.tif 000006
【図５】
2004260490.tif 000007